(57)【要約】  【課題】  取扱説明書の記述だけでは、どのような効果を有する機能であるかを実感できない機能を、どのような効果を有する機能であるかがユーザに実感できるようにする光ディスク装置を提供する。  【解決手段】  セットアップ画面の中の “機能効果の違いを感じる”に対応する項目の中から、例えば“黒レベル切り替え機能”が選択され、黒レベル切り替え機能がオンされると、オン時の黒レベル調整用映像信号による映像が表示される。黒レベル切り替え機能がオフされると、オフ時の黒レベル調整用映像信号による映像が表示される。黒レベル切り替え機能がオン時の映像（ｂ）と、黒レベル切り替え機能がオフ時の映像（ａ）とを比べることにより、黒レベル切り替え機能の効果を、具体的にユーザが実感することができるようになる。【選択図】      図４
2007020080.tif 000002
【特許請求の範囲】
【請求項１】
光ディスクに記録された情報を再生、または光ディスクに対して情報の記録／再生を行
う光ディスク装置において、
光ディスクから再生された再生信号を所定処理して得られた映像信号を出力する映像出
力回路に対して、少なくとも、映像信号の黒レベルを調整する黒レベル調整手段と、映像
のノイズリダクションを抑えるために映像の鮮鋭度を調整する画質調整手段と、光ディス
クから再生された再生信号を所定処理して得られた音声信号を出力する音声出力回路に対
して、少なくとも、バーチャルサラウンド効果を発生させる音響効果発生手段とをシステ
ムコントローラに備え、
セットアップに“機能効果の違いを感じる”という項目を設け、この項目の内容として
、少なくとも、黒レベル切り替え機能の項目、ノイズリダクション抑止機能の項目、音響
効果発生機能の項目をそれぞれ設け、
前記黒レベル切り替え機能が選択された場合に、予めメモリに記憶されている黒レベル
調整用映像信号を前記映像出力回路に供給し、前記黒レベル調整手段を駆動させ、黒レベ
ル切り替え機能の効果の違いが大きく出るように黒レベルを切り替える黒レベル切替手段
と、前記ノイズリダクション抑止機能が選択された場合に、予めメモリに記憶されている
ノイズリダクション抑止用映像信号を前記映像出力回路に供給し、前記画質調整手段を駆
動させ、ノイズリダクション抑止機能の効果の違いが大きく出るように画質調整を行うノ
イズリダクション抑止手段と、前記音響効果発生機能が選択された場合に、予めメモリに
記憶されている音響効果発生用音声信号を前記音声出力回路に供給し、前記音響効果発生
手段を駆動させ、音響効果発生機能の効果の違いが大きく出るように音声を切り替える音
声切替手段とをシステムコントローラに備えたことを特徴とする光ディスク装置。
【請求項２】
光ディスクに記録された情報を再生、または光ディスクに対して情報の記録／再生を行
う光ディスク装置において、
セットアップに“機能効果の違いを感じる”という項目を設け、この項目の内容として
、少なくとも、映像調整機能の項目および音響効果発生機能の項目を設け、
前記映像調整機能が選択された場合に、予めメモリに記憶されている映像調整用映像信
号を映像出力回路に供給し、映像調整機能の効果の違いが大きく出るように映像を表示さ
せ、前記音響効果発生機能が選択された場合に、予めメモリに記憶されている音響効果発
生用音声信号を音声出力回路に供給し、音響効果発生機能の効果の違いが大きく出るよう
に音声を出力させるシステムコントローラを備えたことを特徴とする光ディスク装置。
【請求項３】
前記映像調整機能とは、少なくとも、映像信号の黒レベルを切り替える黒レベル切り替
え機能、映像のノイズリダクションを抑えるためのノイズリダクション抑止機能であるこ
とを特徴とする請求項２に記載の光ディスク装置。
【請求項４】
前記音響効果発生機能とは、少なくとも、バーチャルサラウンド効果の発生機能である
ことを特徴とする請求項２に記載の光ディスク装置。
【請求項５】
前記システムコントローラは、光ディスクから再生された再生信号を所定処理して得ら
れた映像信号を出力する映像出力回路に対して、少なくとも、映像信号の黒レベルを調整
する黒レベル調整手段と、映像のノイズリダクションを抑えるために映像の鮮鋭度を調整
する画質調整手段と、光ディスクから再生された再生信号を所定処理して得られた音声信
号を出力する音声出力回路に対して、少なくとも、バーチャルサラウンド効果などの音響
効果を発生させる音響効果発生手段と、前記黒レベル切り替え機能が選択された場合に、
予めメモリに記憶されている黒レベル調整用映像信号を前記映像出力回路に供給し、前記
黒レベル調整手段を駆動させ、黒レベル切り替え機能の効果の違いが大きく出るように黒
レベルを切り替える黒レベル切替手段と、前記ノイズリダクション抑止機能が選択された
場合に、予めメモリに記憶されているノイズリダクション抑止用映像信号を前記映像出力
回路に供給し、前記画質調整手段を駆動させ、ノイズリダクション抑止機能の効果の違い
が大きく出るように画質調整を行うノイズリダクション抑止手段と、前記音響効果発生機
能が選択された場合に、予めメモリに記憶されている音響効果発生用音声信号を前記音声
出力回路に供給し、前記音響効果発生手段を駆動させ、音響効果発生機能の効果の違いが
大きく出るように音声を切り替える音声切替手段とを備えたことを特徴とする請求項２に
記載の光ディスク装置。
【発明の詳細な説明】
【技術分野】
【０００１】
本発明は、光ディスクに記録された情報を再生、または光ディスクに対して情報の記録
／再生を行う光ディスク装置に関し、特に、装置を所望の状態にセットアップする際の処
理に関する。
【背景技術】
【０００２】
従来から、ＤＶＤ（デジタル・バーサタイル・ディスク）などの光ディスクに記録され
た情報を再生するＤＶＤプレイヤや、ＤＶＤなどの光ディスクに対して情報を記録したり
情報を再生したりするＤＶＤレコーダなどの光ディスク装置では、動作条件がセットアッ
プで設定可能であり、セットアップするときにセットアップ画面を例えばテレビ受信機に
表示させ、セットアップの設定の仕方が分らない場合は、取扱説明書を見ながらセットア
ップの設定を行っている。セットアップの項目としては、例えば、省電力設定の機能、表
示設定の機能、チャンネル設定の機能、ＢＳ設定の機能、時刻設定の機能、録画設定の機
能、映像関係の設定の機能、音声関係の設定の機能などがある。
【特許文献１】特開２００３−２４８６５７号公報
【特許文献２】特開平１１−５３３７７号公報
【発明の開示】
【発明が解決しようとする課題】
【０００３】
しかしながら、セットアップ項目の機能は取扱説明書で説明しているだけであり、実際
にセットアップ項目で具体例を紹介しているものはない。したがって、従来の光ディスク
装置においては、セットアップで設定される機能の中でも、映像関係では、例えば、黒レ
ベル切り替え機能やノイズリダクション抑止機能は、設定されている時と設定されていな
い時との違いが、ユーザにとっては再生画像を見ただけでは分り辛く、また、音声関係で
は、例えば、バーチャルサラウンド効果発生機能は、設定されている時と設定されていな
い時との違いが、ユーザにとっては再生音声を聴いただけでは分り辛いと言う課題が生じ
る。
【０００４】
なお、特許文献１の従来技術では、操作部に対する操作方法をガイドするためのＷｅｂ
ページを有し、このＷｅｂページへのアクセスにより設定条件の入力を認識し、認識され
た設定条件による制御の実行を指示するサーバー部を備えることにより、ユーザによる設
定操作の操作性の向上を図っているが、ユーザにとっては、設定されている時と設定され
ていない時との違いが分り辛い機能について、違いが分り易くするための対策が施されて
いない。
【０００５】
特許文献２の従来技術では、静止画、動画、音声データ等よりなる電子マニュアルにて
、セットアップマニュアルで操作説明がなされるようにしているが、この従来技術も、ユ
ーザにとっては、設定されている時と設定されていない時との違いが分り辛い機能につい
て、違いが分り易くするための対策が施されていない。
【０００６】
本発明は、上記のような課題を解決するためになされたもので、取扱説明書の記述だけ
では、どのような効果を有する機能であるかを実感できない機能を、どのような効果を有
する機能であるかがユーザに実感できるようにする光ディスク装置を提供することを目的
とする。
【課題を解決するための手段】
【０００７】
上記目的を達成するために、請求項１の発明は、光ディスクから再生された再生信号を
所定処理して得られた映像信号を出力する映像出力回路に対して、少なくとも、映像信号
の黒レベルを調整する黒レベル調整手段と、映像のノイズリダクションを抑えるために映
像の鮮鋭度を調整する画質調整手段と、光ディスクから再生された再生信号を所定処理し
て得られた音声信号を出力する音声出力回路に対して、少なくとも、バーチャルサラウン
ド効果を発生させる音響効果発生手段とをシステムコントローラに備え、セットアップに
“機能効果の違いを感じる”という項目を設け、この項目の内容として、少なくとも、黒
レベル切り替え機能の項目、ノイズリダクション抑止機能の項目、音響効果発生機能の項
目をそれぞれ設け、前記黒レベル切り替え機能が選択された場合に、予めメモリに記憶さ
れている黒レベル調整用映像信号を前記映像出力回路に供給し、前記黒レベル調整手段を
駆動させ、黒レベル切り替え機能の効果の違いが大きく出るように黒レベルを切り替える
黒レベル切替手段と、前記ノイズリダクション抑止機能が選択された場合に、予めメモリ
に記憶されているノイズリダクション抑止用映像信号を前記映像出力回路に供給し、前記
画質調整手段を駆動させ、ノイズリダクション抑止機能の効果の違いが大きく出るように
画質調整を行うノイズリダクション抑止手段と、前記音響効果発生機能が選択された場合
に、予めメモリに記憶されている音響効果発生用音声信号を前記音声出力回路に供給し、
前記音響効果発生手段を駆動させ、音響効果発生機能の効果の違いが大きく出るように音
声を切り替える音声切替手段とをシステムコントローラに備えたことを特徴とする光ディ
スク装置を提供する。
【０００８】
この構成において、セットアップ画面の中の“機能効果の違いを感じる”の項目が選択
されると、 “機能効果の違いを感じる”に対応する項目が表示される。“機能効果の違
いを感じる”に対応する項目の中から例えば“黒レベル切り替え機能”が選択され、黒レ
ベル切り替え機能がオンされると、黒レベル切替手段により、黒レベル切り替え機能がオ
ン時の黒レベル調整用映像信号がメモリから読み出され、映像出力回路に出力される。こ
れにより、ディスプレイ装置には、黒レベル切り替え機能がオン時の映像が表示される。
【０００９】
黒レベル切り替え機能がオフされると、黒レベル切替手段により、黒レベル切り替え機
能がオフ時の黒レベル調整用映像信号がメモリから読み出され、映像出力回路に出力され
る。これにより、ディスプレイ装置には、黒レベル切り替え機能がオフ時の映像が表示さ
れる。したがって、黒レベル切り替え機能については、黒レベル切り替え機能がオン時の
映像と、黒レベル切り替え機能がオフ時の映像とを比べることにより、黒レベル切り替え
機能の効果を、具体的にユーザが実感することができるようになる。
【００１０】
この構成によれば、取扱説明書だけでは今一どのような効果の有る機能であるかが分ら
ない機能をセットアップ項目に具体例を挙げて、ユーザが実際に目で見たり、耳で聞いた
りして、機能がオンされている時と、オフされている時との違いを感じ取ることによって
、どのような場面（映像や音声）で機能を使用すれば良いかのユーザの理解が深まり、機
能を有効に活用できるようになる。
【００１１】
請求項２の発明は、セットアップに“機能効果の違いを感じる”という項目を設け、こ
の項目の内容として、少なくとも、映像調整機能の項目および音響効果発生機能の項目を
設け、前記映像調整機能が選択された場合に、予めメモリに記憶されている映像調整用映
像信号を映像出力回路に供給し、映像調整機能の効果が大きく出るように映像を表示させ
、前記音響効果発生機能が選択された場合に、予めメモリに記憶されている音響効果発生
用音声信号を音声出力回路に供給し、音響効果発生機能の効果が大きく出るように音声を
出力させるシステムコントローラを備えたことを特徴とする光ディスク装置を提供する。
【００１２】
この構成において、映像調整機能が選択された場合に、メモリに記憶されている映像調
整用映像信号が映像出力回路に供給され、映像調整機能の効果の違いが大きく出るように
映像が表示され、前記音響効果発生機能が選択された場合に、予めメモリに記憶されてい
る音響効果発生用音声信号が音声出力回路に供給され、音響効果発生機能の効果の違いが
大きく出るように音声が出力される。
【００１３】
この構成によれば、取扱説明書だけでは今一どのような効果の有る機能であるかが分ら
ない機能をセットアップ項目に具体例を挙げて、ユーザが実際に目で見たり、耳で聞いた
りして、機能がオンされている時と、オフされている時との違いを感じ取ることによって
、どのような場面（映像や音声）で機能を使用すれば良いかのユーザの理解が深まり、機
能を有効に活用できるようになる。
【００１４】
請求項３の発明では、請求項２の発明において、前記映像調整機能とは、少なくとも、
映像信号の黒レベルを切り替える黒レベル切り替え機能、映像のノイズリダクションを抑
えるためのノイズリダクション抑止機能であるので、黒レベル切り替え機能やノイズリダ
クション抑止機能などの効果を実感することができる。
【００１５】
請求項４の発明では、請求項２の発明において、前記音響効果発生機能とは、少なくと
も、バーチャルサラウンド効果の発生機能であるので、バーチャルサラウンド効果の発生
機能などの効果を実感することができる。
【００１６】
請求項５の発明では、請求項２の発明において、前記システムコントローラは、光ディ
スクから再生された再生信号を所定処理して得られた映像信号を出力する映像出力回路に
対して、少なくとも、映像信号の黒レベルを調整する黒レベル調整手段と、映像のノイズ
リダクションを抑えるために映像の鮮鋭度を調整する画質調整手段と、光ディスクから再
生された再生信号を所定処理して得られた音声信号を出力する音声出力回路に対して、少
なくとも、バーチャルサラウンド効果などの音響効果を発生させる音響効果発生手段と、
前記黒レベル切り替え機能が選択された場合に、予めメモリに記憶されている黒レベル調
整用映像信号を前記映像出力回路に供給し、前記黒レベル調整手段を駆動させ、黒レベル
切り替え機能の効果の違いが大きく出るように黒レベルを切り替える黒レベル切替手段と
、前記ノイズリダクション抑止機能が選択された場合に、予めメモリに記憶されているノ
イズリダクション抑止用映像信号を前記映像出力回路に供給し、前記画質調整手段を駆動
させ、ノイズリダクション抑止機能の効果の違いが大きく出るように画質調整を行うノイ
ズリダクション抑止手段と、前記音響効果発生機能が選択された場合に、予めメモリに記
憶されている音響効果発生用音声信号を前記音声出力回路に供給し、前記音響効果発生手
段を駆動させ、音響効果発生機能の効果の違いが大きく出るように音声を切り替える音声
切替手段とを備えた。
【００１７】
したがって、前記システムコントローラは、黒レベル調整処理、画質調整処理、音響効
果発生処理、黒レベル切替処理、ノイズリダクション抑止処理、および音声切替処理を実
現でき、これにより、黒レベル切り替え機能、ノイズリダクション抑止機能、音響効果発
生機能を実感することが可能になる。
【発明の効果】
【００１８】
以上のように本発明によれば、光ディスクから再生された再生信号を所定処理して得ら
れた映像信号を出力する映像出力回路に対して、少なくとも、映像信号の黒レベルを調整
する黒レベル調整手段と、映像のノイズリダクションを抑えるために映像の鮮鋭度を調整
する画質調整手段と、光ディスクから再生された再生信号を所定処理して得られた音声信
号を出力する音声出力回路に対して、少なくとも、バーチャルサラウンド効果を発生させ
る音響効果発生手段とをシステムコントローラに備え、セットアップに“機能効果の違い
を感じる”という項目を設け、この項目の内容として、少なくとも、黒レベル切り替え機
能の項目、ノイズリダクション抑止機能の項目、音響効果発生機能の項目をそれぞれ設け
、前記黒レベル切り替え機能が選択された場合に、予めメモリに記憶されている黒レベル
調整用映像信号を前記映像出力回路に供給し、前記黒レベル調整手段を駆動させ、黒レベ
ル切り替え機能の効果の違いが大きく出るように黒レベルを切り替える黒レベル切替手段
と、前記ノイズリダクション抑止機能が選択された場合に、予めメモリに記憶されている
ノイズリダクション抑止用映像信号を前記映像出力回路に供給し、前記画質調整手段を駆
動させ、ノイズリダクション抑止機能の効果の違いが大きく出るように画質調整を行うノ
イズリダクション抑止手段と、前記音響効果発生機能が選択された場合に、予めメモリに
記憶されている音響効果発生用音声信号を前記音声出力回路に供給し、前記音響効果発生
手段を駆動させ、音響効果発生機能の効果の違いが大きく出るように音声を切り替える音
声切替手段とをシステムコントローラに備えたので、取扱説明書だけでは今一どのような
効果の有る機能であるかが分らない機能をセットアップ項目に具体例を挙げて、ユーザが
実際に目で見たり、耳で聞いたりすることができ、これにより、機能がオンされている時
と、オフされている時との違いを感じ取ることによって、どのような場面（映像や音声）
で機能を使用すれば良いかのユーザの理解が深まり、機能を有効に活用できるようになる
。
【００１９】
また、本発明によれば、セットアップに“機能効果の違いを感じる”という項目を設け
、この項目の内容として、少なくとも、映像調整機能の項目および音響効果発生機能の項
目を設け、前記映像調整機能が選択された場合に、予めメモリに記憶されている映像調整
用映像信号を映像出力回路に供給し、映像調整機能の効果が大きく出るように映像を表示
させ、前記音響効果発生機能が選択された場合に、予めメモリに記憶されている音響効果
発生用音声信号を音声出力回路に供給し、音響効果発生機能の効果が大きく出るように音
声を出力させるシステムコントローラを備えたので、取扱説明書だけでは今一どのような
効果の有る機能であるかが分らない機能をセットアップ項目に具体例を挙げて、ユーザが
実際に目で見たり、耳で聞いたりすることができ、これにより、機能がオンされている時
と、オフされている時との違いを感じ取ることによって、どのような場面（映像や音声）
で機能を使用すれば良いかのユーザの理解が深まり、機能を有効に活用できるようになる
。
【発明を実施するための最良の形態】
【００２０】
以下、添付図面を参照しつつ、本発明の実施の形態について説明する。図１は本発明の
一実施形態に係る光ディスク装置としてのＤＶＤレコーダの構成を示すブロック図である
。
【００２１】
このＤＶＤレコーダは、光ディスク１を回転させるスピンドルモータ５と、光ディスク
１に対して情報の記録／再生を行うためのレーザ光を出射すると共に光ディスク１からの
反射光を受光する光ピックアップ２と、この光ピックアップ２を光ディスク１の半径方向
に移動させるためのスレッド３と、装置全体を制御するシステムコントローラ２２と、こ
のシステムコントローラ２２の指示に応じてスピンドルモータ５およびスレッド３を駆動
すると共に光ピックアップ２に内蔵された対物レンズ（図示せず）を動かすことによりレ
ーザ光の焦点位置を光ディスク１の記録面に対して垂直方向および水平方向に移動させる
制御を行うサーボ制御部４とを備えている。
【００２２】
また、このＤＶＤレコーダは、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理とＥＣＣエラー訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２３】
また、このＤＶＤレコーダは、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２４】
また、このＤＶＤレコーダは、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用の映像信号に変換して画像をディスプレイ装置２０に表示させるビデオエンコーダ１
８と、オーディオデコーダ１１から出力されたデータをアナログの音声信号に変換して図
示しない音声増幅回路を介して例えばスピーカ１９に供給するＤ／Ａ変換器１６とを備え
ている。
【００２５】
また、このＤＶＤレコーダは、システムコントローラ２２に対して赤外線信号により、
再生指示を与えるための再生キー、再生停止を指示するための停止キー、記録指示を与え
るための記録キー、および電源キーなどの各種操作キーを有するリモコン２１と、装置の
各構成要素を制御したり、装置全体を制御したりするためのプログラムやデータが記憶さ
れたフラッシュＲＯＭ２３と、このフラッシュＲＯＭ２３のプログラムやデータに従って
演算処理を行いシステムコントローラ２２を制御するＣＰＵ２４と、このＣＰＵ２４の処
理に必要なデータを一時的に格納するＲＡＭ２７とを備えている。
【００２６】
また、このＤＶＤレコーダは、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００２７】
システムコントローラ２２は、本実施形態の特徴とする構成要素として、光ディスク１
から再生された再生信号を所定処理して得られた映像信号を出力する映像出力回路（ここ
ではビデオデコーダ１５）に対して、映像信号の黒レベルを調整する黒レベル調整手段２
２１と、映像のノイズリダクションを抑えるために映像の鮮鋭度を調整する画質調整手段
２２２と、光ディスク１から再生された再生信号を所定処理して得られた音声信号を出力
する音声出力回路（ここではオーディオデコーダ１１）に対して、バーチャルサラウンド
効果などの音響効果を発生させる音響効果発生手段２２３とを備えている。
【００２８】
また、システムコントローラ２２は、前記黒レベル切り替え機能が選択された場合に、
予めフラッシュＲＯＭ２３に記憶されている黒レベル調整用映像信号を前記映像出力回路
に供給し、前記黒レベル調整手段２２１を駆動させ、黒レベル切り替え機能の効果の違い
が大きく出るように黒レベルを切り替える黒レベル切替手段２２４と、前記ノイズリダク
ション抑止機能が選択された場合に、予めフラッシュＲＯＭ２３に記憶されているノイズ
リダクション抑止用映像信号を前記映像出力回路に供給し、前記画質調整手段２２２を駆
動させ、ノイズリダクション抑止機能の効果の違いが大きく出るように画質調整を行うノ
イズリダクション抑止手段２２５と、前記音響効果発生機能が選択された場合に、予めフ
ラッシュＲＯＭ２３に記憶されている音響効果発生用音声信号を前記音声出力回路に供給
し、前記音響効果発生手段２２３を駆動させ、音響効果発生機能の効果の違いが大きく出
るように音声を切り替える音声切替手段２２６とを備えている。
【００２９】
なお、本実施形態では、光ディスク装置としてＤＶＤレコーダについて説明するが、再
生のみを行うＤＶＤプレイヤのシステムコントローラに、前記のような各手段を設ければ
、同様な効果が得られることは言うまでもない。
【００３０】
図２は本実施形態において設計段階でセットアップに“機能効果の違いを感じる”の項
目を設ける場合の処理を示すフローチャートである。このフローチャートを参照して設計
段階でセットアップに“機能効果の違いを感じる”の項目を設ける場合の処理について説
明する。
【００３１】
ユーザに分り難い機能があると（ステップＮ１）、装置のセットアップに項目“機能効
果の違いを感じる”を設ける（ステップＮ２）。そして、項目“機能効果の違いを感じる
”の内部項目を設定する（ステップＮ３）。ここでは、項目“機能効果の違いを感じる”
の内部項目としては、黒レベル切り替え機能、ノイズリダクション抑止機能、バーチャル
サラウンド効果発生機能を設定する。その後、まだ他にユーザに分り難い機能があると（
ステップＮ４）、項目“機能効果の違いを感じる”の内部項目を追加し設定する（ステッ
プＮ３）。
【００３２】
図３は本実施形態においてセットアップ画面の一例を示す図である。図３において、３
１はディスプレイ装置２０に表示されたセットアップ画面の一例を示し、このセットアッ
プ画面３１には、“機能効果の違いを感じる”の項目が追加して設けられている。３２は
項目“機能効果の違いを感じる”の内部項目を示す画面を示し、この画面３２には、“黒
レベル切り替え機能”の項目、“ノイズリダクション抑止機能”の項目、“バーチャルサ
ラウンド効果発生機能”の項目が設けられている。
【００３３】
図４は本実施形態において黒レベル切り替え機能がオフされている場合とオンされてい
る場合の映像の違いを説明するための映像の一例を示す図である。図４（ａ）は黒レベル
切り替え機能がオフされている場合の映像の一例を示し、図４（ｂ）は黒レベル切り替え
機能がオンされている場合の映像の一例を示す。
【００３４】
黒レベル切り替え機能がオフ時には、システムコントローラ２２がフラッシュＲＯＭ２
３に記憶されているオフ時の黒レベル調整用映像信号を読み出して図４（ａ）に示すよう
な映像をディスプレイ装置２０に表示させる。また、黒レベル切り替え機能がオン時には
、システムコントローラ２２がフラッシュＲＯＭ２３に記憶されているオン時の黒レベル
調整用映像信号を読み出して図４（ｂ）に示すような映像をディスプレイ装置２０に表示
させる。
【００３５】
したがって、図４（ａ）に示す映像と図４（ｂ）に映像とを比べると、図４（ａ）に示
す映像では暗くて見え難かった部分が図４（ｂ）に示す映像では見えるようになっている
のが分り、これにより、黒レベル切り替え機能の効果を、具体的にユーザが実感すること
ができるようになる。
【００３６】
図５は本実施形態においてノイズリダクション抑止機能がオフされている場合とオンさ
れている場合の映像の違いを説明するための映像の一例を示す図である。図５（ａ）はノ
イズリダクション抑止機能がオフされている場合の映像の一例を示し、図５（ｂ）はノイ
ズリダクション抑止機能がオンされている場合の映像の一例を示す。
【００３７】
ノイズリダクション抑止機能がオフ時には、システムコントローラ２２がフラッシュＲ
ＯＭ２３に記憶されているノイズリダクションを含む映像信号を読み出して図５（ａ）に
示すような映像をディスプレイ装置２０に表示させる。また、ノイズリダクション抑止機
能がオン時には、システムコントローラ２２がフラッシュＲＯＭ２３に記憶されているノ
イズリダクション抑止用映像を読み出して図５（ｂ）に示すような映像をディスプレイ装
置２０に表示させる。
【００３８】
したがって、図５（ａ）に示す映像と図５（ｂ）に映像とを比べると、図５（ａ）に示
す映像ではチカチカした部分が図５（ｂ）に示す映像では見えなくなっているのが分り、
これにより、ノイズリダクション抑止機能の効果を、具体的にユーザが実感することがで
きるようになる。
【００３９】
図６〜図８は本実施形態においてセットアップ時に設定される機能のうちユーザが機能
効果の違いを実感できるようにするための処理を示すフローチャートである。このフロー
チャートを参照してセットアップ時に設定される機能のうちユーザが機能効果の違いを実
感できるようにするための処理について説明する。
【００４０】
先ず、このＤＶＤレコーダの電源をオンして、装置を立ち上げる（ステップＳ１）。こ
の後、リモコン２１を操作してセットアップ画面の表示が指示されると（ステップＳ２）
、これに応答してシステムコントローラ２２は、セットアップ画面の表示をディスプレイ
装置２０に行う。そして、リモコン２１を操作してセットアップ画面の中の“機能効果の
違いを感じる”（例えば図３のセットアップ画面３１）の項目が選択されると（ステップ
Ｓ３）、システムコントローラ２２は、“機能効果の違いを感じる”に対応する項目（例
えば図３の画面３２）を表示する（ステップＳ４）。
“機能効果の違いを感じる”に対応する項目の中から“黒レベル切り替え機能”が選択さ
れ（ステップＳ５）、黒レベル切り替え機能がオンされると（ステップＳ６）、システム
コントローラ２２の黒レベル切替手段２２４は、黒レベル切り替え機能がオン時の黒レベ
ル調整用映像信号をメモリ（フラッシュＲＯＭ２３）から読み出し、ビデオデコーダ１５
に出力する（ステップＳ７）。ビデオデコーダ１５でデコードされた黒レベル調整用映像
信号は、ビデオプロセッサ１７およびビデオエンコーダ１８を介してディスプレイ装置２
０に供給され、これにより、ディスプレイ装置２０には、黒レベル切り替え機能がオン時
の映像（例えば図４（ｂ））が表示される（ステップＳ８）。
【００４１】
黒レベル切り替え機能がオフされると（ステップＳ６）、システムコントローラ２２の
黒レベル切替手段２２４は、黒レベル切り替え機能がオフ時の黒レベル調整用映像信号を
メモリ（フラッシュＲＯＭ２３）から読み出し、ビデオデコーダ１５に出力する（ステッ
プＳ９）。ビデオデコーダ１５でデコードされた黒レベル調整用映像信号は、ビデオプロ
セッサ１７およびビデオエンコーダ１８を介してディスプレイ装置２０に供給され、これ
により、ディスプレイ装置２０には、黒レベル切り替え機能がオフ時の映像（例えば図４
（ａ））が表示される（ステップＳ１０）。
【００４２】
したがって、黒レベル切り替え機能については、例えば、図４（ａ）に示す映像と図４
（ｂ）に映像とを比べると、図４（ａ）に示す映像では暗くて見え難かった部分が図４（
ｂ）に示す映像では見えるようになっているのが分り、これにより、黒レベル切り替え機
能の効果を、具体的にユーザが実感することができるようになる。
【００４３】
次に、“機能効果の違いを感じる”に対応する項目の中から“ノイズリダクション抑止
機能”が選択され（ステップＳ１１）、ノイズリダクション抑止機能がオンされると（ス
テップＳ１４）、システムコントローラ２２のノイズリダクション抑止手段２２５は、ノ
イズリダクション抑止機能がオン時のノイズリダクション抑止用映像信号をメモリ（フラ
ッシュＲＯＭ２３）から読み出し、ビデオデコーダ１５に出力する（ステップＳ１５）。
ビデオデコーダ１５でデコードされたノイズリダクション抑止用映像信号は、ビデオプロ
セッサ１７およびビデオエンコーダ１８を介してディスプレイ装置２０に供給され、これ
により、ディスプレイ装置２０には、ノイズリダクション抑止機能がオン時の映像（例え
ば図５（ｂ））が表示される（ステップＳ１６）。
【００４４】
ノイズリダクション抑止機能がオフされると（ステップＳ１４）、システムコントロー
ラ２２のノイズリダクション抑止手段２２５は、ノイズリダクション抑止機能がオフ時の
ノイズリダクションを含む映像信号をメモリ（フラッシュＲＯＭ２３）から読み出し、ビ
デオデコーダ１５に出力する（ステップＳ１７）。ビデオデコーダ１５でデコードされた
ノイズリダクションを含む映像信号は、ビデオプロセッサ１７およびビデオエンコーダ１
８を介してディスプレイ装置２０に供給され、これにより、ディスプレイ装置２０には、
ノイズリダクション抑止機能がオフ時の映像（例えば図５（ａ））が表示される（ステッ
プＳ１８）。
【００４５】
したがって、ノイズリダクション抑止機能については、例えば、図５（ａ）に示す映像
と図５（ｂ）に映像とを比べると、図５（ａ）に示す映像ではチカチカした部分が図５（
ｂ）に示す映像では見えなくなっているのが分り、これにより、ノイズリダクション抑止
機能の効果を、具体的にユーザが実感することができるようになる。
【００４６】
次に、“機能効果の違いを感じる”に対応する項目の中から“バーチャルサラウンド効
果発生機能”が選択され（ステップＳ１２）、バーチャルサラウンド効果発生機能がオン
されると（ステップＳ１９）、システムコントローラ２２の音声切替手段２２６は、バー
チャルサラウンド効果発生機能がオン時のバーチャルサラウンド効果発生用音声信号をメ
モリ（フラッシュＲＯＭ２３）から読み出し、オーディオデコーダ１１に出力する（ステ
ップＳ２０）。オーディオデコーダ１１でデコードされたバーチャルサラウンド効果発生
用音声信号は、Ｄ／Ａ変換器１６でアナログ音声信号に変換され、図示しない音声増幅回
路を介してスピーカ１９に供給され、これにより、バーチャルサラウンド効果発生機能が
オン時の音声がスピーカ１９から発生する（ステップＳ２１）。なお、スピーカ１９は複
数個設けられているものとする。
【００４７】
バーチャルサラウンド効果発生機能がオフされると（ステップＳ１９）、システムコン
トローラ２２の音声切替手段２２６は、バーチャルサラウンド効果発生機能がオフ時の音
声信号をメモリ（フラッシュＲＯＭ２３）から読み出し、オーディオデコーダ１１に出力
する（ステップＳ２２）。オーディオデコーダ１１でデコードされた音声信号は、Ｄ／Ａ
変換器１６でアナログ音声信号に変換され、図示しない音声増幅回路を介してスピーカ１
９に供給され、これにより、バーチャルサラウンド効果発生機能がオフ時の音声がスピー
カ１９から発生する（ステップＳ２３）。
【００４８】
したがって、バーチャルサラウンド効果発生機能については、その機能のオン時のバー
チャルサラウンド効果発生用音声信号による音声と、その機能のオフ時の音声信号による
音声とを、具体的にユーザが実感することができるようになる。
【００４９】
以上説明したように本実施形態によれば、取扱説明書だけでは今一どのような効果の有
る機能であるかが分らない機能をセットアップ項目に具体例を挙げて、ユーザが実際に目
で見たり、耳で聞いたりして、機能がオンされている時と、オフされている時との違いを
感じ取ることによって、どのような場面（映像や音声）で機能を使用すれば良いかのユー
ザの理解が深まり、機能を有効に活用できるようになる。
【００５０】
なお、上記実施形態では、映像調整機能の項目として、黒レベル切り替え機能とノイズ
リダクション抑止機能を例に挙げ、音響効果発生機能の項目として、バーチャルサラウン
ド効果発生機能を例に挙げて、それぞれ説明したが、これらの機能に限らず、ユーザが機
能の効果が分り辛い機能であれば、“機能効果の違いを感じる”の項目に幾らでも追加し
て行けば良い。
【図面の簡単な説明】
【００５１】
【図１】図１は本発明の一実施形態に係る光ディスク装置としてのＤＶＤレコーダの構成を示すブロック図である。
【図２】前記実施形態において設計段階でセットアップに“機能効果の違いを感じる”の項目を設ける場合の処理を示すフローチャートである。
【図３】前記実施形態においてセットアップ画面の一例を示す図である。
【図４】前記実施形態において黒レベル切り替え機能がオフされている場合とオンされている場合の映像の違いを説明するための映像の一例を示す図である。
【図５】前記実施形態においてノイズリダクション抑止機能がオフされている場合とオンされている場合の映像の違いを説明するための映像の一例を示す図である。
【図６】前記実施形態においてセットアップ時に設定される機能のうちユーザが機能効果の違いを実感できるようにするための処理を示すフローチャートである。
【図７】図６のフローチャートの続きで前記実施形態においてセットアップ時に設定される機能のうちユーザが機能効果の違いを実感できるようにするための処理を示すフローチャートである。
【図８】図６のフローチャートの続きで前記実施形態においてセットアップ時に設定される機能のうちユーザが機能効果の違いを実感できるようにするための処理を示すフローチャートである。
【符号の説明】
【００５２】
１    光ディスク
１１    オーディオデコーダ（音声出力回路）
１５    ビデオデコーダ（映像出力回路）
２２    システムコントローラ
２３    フラッシュＲＯＭ（メモリ）
２２１    黒レベル調整手段
２２２    画質調整手段
２２３    音響効果発生手段
２２４    黒レベル切替手段
２２５    ノイズリダクション抑止手段
２２６    音声切替手段
【図１】
2007020080.tif 000003
【図２】
2007020080.tif 000004
【図３】
2007020080.tif 000005
【図４】
2007020080.tif 000006
【図５】
2007020080.tif 000007
【図６】
2007020080.tif 000008
【図７】
2007020080.tif 000009
【図８】
2007020080.tif 000010